(57)【要約】【課題】電力が消費されるのを抑制しながら起動時間を確実に短くすることが可能な電子機器を提供する。【解決手段】このブルーレイレコーダ１（電子機器）は、待機モードと、待機モードよりも電力の消費が小さい省電力モードとのいずれかのモードで電源オンの待機を行うとともに、ユーザの電源オンの操作に基づいて待機モードおよび省電力モードのいずれか一方のモードから起動する制御を行う制御部１０を備える。制御部１０は、省電力モードの場合においてホームネットワーク上に接続されたテレビジョン装置２がオン状態であると判断した場合には、待機モードに切り替えるとともに、待機モードの場合においてテレビジョン装置２がオフ状態であると判断した場合には、省電力モードに切り替える制御を行うように構成されている。【選択図】図１
2011172167.tif 000002
【特許請求の範囲】
【請求項１】
ネットワークと接続可能な通信部と、
待機モードと、前記待機モードよりも電力の消費が小さい省電力モードとのいずれかのモードで電源オンの待機を行うとともに、ユーザの電源オンの操作に基づいて前記待機モードおよび前記省電力モードのいずれか一方のモードから起動する制御を行う制御部とを備え、
前記制御部は、前記省電力モードの場合において前記ネットワーク上に接続された外部機器がオン状態であると判断した場合には、前記待機モードに切り替えるとともに、前記待機モードの場合において前記外部機器がオフ状態であると判断した場合には、前記省電力モードに切り替える制御を行うように構成されている、電子機器。
【請求項２】
前記外部機器は、所定の識別情報を有し、
前記制御部は、所定の時間間隔で前記ネットワーク上に接続された所定の識別情報を有する前記外部機器のオンまたはオフ状態を監視する制御を行うように構成されている、請求項１に記載の電子機器。
【請求項３】
前記外部機器は、所定の識別情報を有し、
前記所定の識別情報は、前記外部機器に割り当てられたＩＰアドレスおよびＭＡＣアドレスの少なくとも一方のアドレスを含む、請求項１または２に記載の電子機器。
【請求項４】
前記ＩＰアドレスは、ネットワーク上に接続されたネットワーク中継機により前記外部機器に割り当てられ、
前記制御部は、前記ネットワーク中継機により割り当てられた前記ＩＰアドレスを予め登録するとともに、予め登録された前記ＩＰアドレスを有する前記外部機器のオンまたはオフ状態を監視する制御を行うように構成されている、請求項３に記載の電子機器。
【請求項５】
前記制御部は、前記省電力モードから前記待機モードに切り替えた場合において前記外部機器がオン状態であると継続して判断している場合には、前記省電力モードに切り替えずに前記待機モードを継続させて電源オンの待機を行う制御を行うように構成されている、請求項１〜４のいずれか１項に記載の電子機器。
【請求項６】
前記外部機器は、所定の識別情報を有し、
前記制御部は、前記ネットワーク上に接続された所定の識別情報を有する前記外部機器に対して前記通信部から所定の信号を送信するように構成されており、前記省電力モードの場合において送信した前記所定の信号に対して前記外部機器から返信があった場合に、前記外部機器がオン状態であると判断するとともに、前記待機モードの場合において送信した前記所定の信号に対して前記外部機器から返信がなかった場合に、前記外部機器がオフ状態であると判断するように構成されている、請求項１〜５のいずれか１項に記載の電子機器。
【請求項７】
前記ネットワークは、ローカルエリアネットワークであり、
前記制御部は、前記ローカルエリアネットワーク上に接続された前記所定の識別情報を有する前記外部機器に対して前記通信部からｐｉｎｇ送信により前記所定の信号を送信するように構成されている、請求項６に記載の電子機器。
【請求項８】
前記外部機器は、所定の識別情報を有し、
前記所定の識別情報を予め記憶する記憶部をさらに備える、請求項１〜７のいずれか１項に記載の電子機器。
【請求項９】
前記電子機器は、回転ディスクにデータを記録可能なディスクレコーダであり、
前記外部機器は、テレビジョン装置であり、
前記ディスクレコーダの制御部は、前記省電力モードの場合において前記テレビジョン装置がオン状態の場合に、前記待機モードに切り替えるとともに、前記待機モードの場合において前記テレビジョン装置がオフ状態の場合に、前記省電力モードに切り替える制御を行うように構成されている、請求項１〜８のいずれか１項に記載の電子機器。
【発明の詳細な説明】
【技術分野】
【０００１】
この発明は、電子機器に関し、特に、ネットワークと接続可能な電子機器に関する。
【背景技術】
【０００２】
従来、ネットワークと接続可能な電子機器が知られている（たとえば、特許文献１参照）。
【０００３】
上記特許文献１には、ネットワークと接続可能に構成されているとともに、電源がオンの状態でネットワークに接続された場合に、ネットワーク上に設けられた所定の外部機器の省電力モードを待機モードに切り替える操作を行うネットワーク機器（電子機器）が開示されている。ここで、待機モードおよび省電力モードは、それぞれ、ユーザの操作による電源オンの待機を行うモードである。また、省電力モードは、待機モードよりも電力の消費が小さい一方で、ユーザの電源オンの操作に対して待機モードよりも起動する時間が長いモードをいう。上記特許文献１では、待機モードに移行した所定の外部機器は、一定時間経過した後に、省電力モードに戻るように構成されている。
【先行技術文献】
【特許文献】
【０００４】
【特許文献１】特開２００３−２８３５００号公報
【発明の概要】
【発明が解決しようとする課題】
【０００５】
しかしながら、上記特許文献１に記載のネットワーク機器（電子機器）では、所定の外部機器が待機モードに移行した場合に、一定時間経過した後には所定の外部機器が省電力モードに戻ってしまうため、一定時間経過後にユーザが所定の外部機器に対して電源オンの操作を行った場合に、所定の外部機器の起動時間が長くなるという問題点がある。また、上記特許文献１に記載のネットワーク機器（電子機器）では、ネットワーク機器の電源がオンされることにより所定の外部機器が待機モードに移行した場合において、一定時間経過する前にネットワーク機器の電源がオフされた場合にも、一定時間が経過するまでは所定の外部機器が待機モードのままで待機するため、この場合には、省電力モードと比べて余分な電力が消費されるという問題点もある。つまり、特許文献１では、電力が消費されるのを抑制しながら起動時間を確実に短くすることが困難である。
【０００６】
この発明は、上記のような課題を解決するためになされたものであり、この発明の１つの目的は、電力が消費されるのを抑制しながら起動時間を確実に短くすることが可能な電子機器を提供することである。
【課題を解決するための手段および発明の効果】
【０００７】
この発明の一の局面による電子機器は、ネットワークと接続可能な通信部と、待機モードと、待機モードよりも電力の消費が小さい省電力モードとのいずれかのモードで電源オンの待機を行うとともに、ユーザの電源オンの操作に基づいて待機モードおよび省電力モードのいずれか一方のモードから起動する制御を行う制御部とを備え、制御部は、省電力モードの場合においてネットワーク上に接続された外部機器がオン状態であると判断した場合には、待機モードに切り替えるとともに、待機モードの場合において外部機器がオフ状態であると判断した場合には、省電力モードに切り替える制御を行うように構成されている。
【０００８】
この一の局面による電子機器では、上記のように、省電力モードの場合においてネットワーク上に接続された外部機器がオン状態であると判断した場合には、待機モードに切り替えるとともに、待機モードの場合において外部機器がオフ状態であると判断した場合には、省電力モードに切り替える制御を行うことによって、電子機器が待機モードに移行して一定時間経過した後であっても、外部機器がオン状態である場合には電子機器が省電力モードに切り替えられることがない。これにより、外部機器がオン状態である場合において電子機器に対して電源オンの操作を行った場合に、電子機器の起動時間を確実に短くすることができる。その一方で、外部機器がオフ状態である場合には、電子機器は省電力モードで待機するので、電子機器により電力が消費されるのを抑制することができる。これらの結果、電力が消費されるのを抑制しながら起動時間を確実に短くすることができる。
【０００９】
上記一の局面による電子機器において、好ましくは、外部機器は、所定の識別情報を有し、制御部は、所定の時間間隔でネットワーク上に接続された所定の識別情報を有する外部機器のオンまたはオフ状態を監視する制御を行うように構成されている。このように構成すれば、所定の時間間隔で外部機器のオンまたはオフ状態を監視することにより、外部機器のオンまたはオフ状態を的確に判断することができるので、省電力モードと待機モードとの切替を適切に行うことができる。
【００１０】
上記一の局面による電子機器において、好ましくは、外部機器は、所定の識別情報を有し、所定の識別情報は、外部機器に割り当てられたＩＰアドレスおよびＭＡＣアドレスの少なくとも一方のアドレスを含む。このように構成すれば、ＩＰアドレスおよびＭＡＣアドレスのようなネットワーク上で使用できる識別情報を用いることにより、容易に、ネットワーク上に接続されている外部機器を識別することができる。
【００１１】
この場合において、好ましくは、ＩＰアドレスは、ネットワーク上に接続されたネットワーク中継機により外部機器に割り当てられ、制御部は、ネットワーク中継機により割り当てられたＩＰアドレスを予め登録するとともに、予め登録されたＩＰアドレスを有する外部機器のオンまたはオフ状態を監視する制御を行うように構成されている。このように構成すれば、ネットワーク中継機により割り当てられたＩＰアドレスを用いることにより、容易に、ネットワーク上に接続されている外部機器のオンまたはオフ状態を監視することができる。
【００１２】
上記一の局面による電子機器において、好ましくは、制御部は、省電力モードから待機モードに切り替えた場合において外部機器がオン状態であると継続して判断している場合には、省電力モードに切り替えずに待機モードを継続させて電源オンの待機を行う制御を行うように構成されている。このように構成すれば、外部機器がオン状態であると継続して判断している場合に省電力モードに切り替えずに待機モードを継続させて電源オンの待機を行うことにより、電子機器に対して電源オンの操作を行った場合に、電子機器の起動時間をより確実に短くすることができる。
【００１３】
上記一の局面による電子機器において、好ましくは、外部機器は、所定の識別情報を有し、制御部は、ネットワーク上に接続された所定の識別情報を有する外部機器に対して通信部から所定の信号を送信するように構成されており、省電力モードの場合において送信した所定の信号に対して外部機器から返信があった場合に、外部機器がオン状態であると判断するとともに、待機モードの場合において送信した所定の信号に対して外部機器から返信がなかった場合に、外部機器がオフ状態であると判断するように構成されている。このように構成すれば、外部機器からの返信の有無に基づいて、容易に、外部機器がオン状態またはオフ状態のいずれの状態であるかを判断することができる。
【００１４】
この場合において、好ましくは、ネットワークは、ローカルエリアネットワークであり、制御部は、ローカルエリアネットワーク上に接続された所定の識別情報を有する外部機器に対して通信部からｐｉｎｇ送信により所定の信号を送信するように構成されている。このように構成すれば、ｐｉｎｇ送信を用いることにより、容易に、ローカルエリアネットワーク上に接続された外部機器のオンまたはオフ状態を監視することができる。
【００１５】
上記一の局面による電子機器において、好ましくは、外部機器は、所定の識別情報を有し、所定の識別情報を予め記憶する記憶部をさらに備える。このように構成すれば、記憶部により、容易に、外部機器の所定の識別情報を電子機器に記憶させることができる。
【００１６】
上記一の局面による電子機器において、好ましくは、電子機器は、回転ディスクにデータを記録可能なディスクレコーダであり、外部機器は、テレビジョン装置であり、ディスクレコーダの制御部は、省電力モードの場合においてテレビジョン装置がオン状態の場合に、待機モードに切り替えるとともに、待機モードの場合においてテレビジョン装置がオフ状態の場合に、省電力モードに切り替える制御を行うように構成されている。このように構成すれば、テレビジョン装置がオン状態であるディスクレコーダの使用可能性の高い場合には、ディスクレコーダを待機モードで待機させるとともに、テレビジョン装置がオフ状態であるディスクレコーダの使用可能性の低い場合には、ディスクレコーダを省電力モードで待機させることができる。これにより、電力が消費されるのを抑制しながら起動時間を確実に短くすることが可能なディスクレコーダを得ることができる。
【図面の簡単な説明】
【００１７】
【図１】本発明の第１実施形態によるブルーレイレコーダが接続されたホームネットワークシステムの構成を示したブロック図である。
【図２】本発明の第１実施形態によるブルーレイレコーダの待機モードと省電力モードとの自動切替制御フローを説明するためのフローチャートである。
【図３】本発明の第２実施形態によるブルーレイレコーダが接続されたホームネットワークシステムの構成を示したブロック図である。
【図４】本発明の第２実施形態によるブルーレイレコーダの待機モードと省電力モードとの自動切替制御フローを説明するためのフローチャートである。
【発明を実施するための形態】
【００１８】
以下、本発明を具体化した実施形態を図面に基づいて説明する。
【００１９】
（第１実施形態）
まず、図１を参照して、本発明の第１実施形態によるブルーレイレコーダ１が接続されたホームネットワークシステムの構成について説明する。
【００２０】
図１に示すように、このホームネットワークシステムでは、本発明の第１実施形態によるブルーレイレコーダ１を含む様々な機器同士が、有線ＬＡＮ、無線ＬＡＮまたはそれらの組み合わせからなるローカルエリアネットワーク（ＬＡＮ）で相互接続されている。
【００２１】
第１実施形態では、ホームネットワークシステムは、ブルーレイディスクなどの回転ディスク（図示せず）にデータを記録可能なブルーレイレコーダ１、テレビジョン装置２、パソコン３、テレビジョン装置４およびＤＨＣＰサーバ機能を有するルータ５により構成されている。なお、ブルーレイレコーダ１は、本発明の「電子機器」および「ディスクレコーダ」の一例であり、テレビジョン装置２は、本発明の「外部機器」の一例である。また、ルータ５は、本発明の「ネットワーク中継機」の一例である。
【００２２】
また、ホームネットワークシステムの各機器は、それぞれ、ホームネットワークシステム上に接続されたルータ５によりＩＰアドレスが割り当てられている。具体的には、ブルーレイレコーダ１には、ＩＰアドレスＡが割り振られているとともに、テレビジョン装置２には、ＩＰアドレスＢが割り振られている。また、パソコン３には、ＩＰアドレスＣが割り振られているとともに、テレビジョン装置４には、ＩＰアドレスＤが割り振られている。これにより、第１実施形態によるホームネットワークシステムでは、一の機器（たとえばＩＰアドレスＡを有するブルーレイレコーダ１）が所定のＩＰアドレスを有する他の機器（たとえばＩＰアドレスＢを有するテレビジョン装置２）に対して所定のパケットを送信することが可能である。なお、ＩＰアドレスＡ、Ｂ、ＣおよびＤは、本発明の「識別情報」の一例である。
【００２３】
ここで、第１実施形態では、ブルーレイレコーダ１は、上記ホームネットワークシステムを用いることにより、テレビジョン装置２の電源のオンまたはオフ状態に応じて、待機モードと、待機モードよりも電力の消費が小さい省電力モードとのいずれかのモードに切替可能に構成されている。ここで、待機モードおよび省電力モードは、それぞれ、ユーザの操作による電源オンの待機を行うモードである。また、省電力モードは、待機モードよりも電力の消費が小さい一方で、ユーザの電源オンの操作に対して待機モードよりも起動する時間が長いモードをいう。以下、ブルーレイレコーダ１の構成について説明する。
【００２４】
ブルーレイレコーダ１は、ブルーレイレコーダ１の制御を司る制御部（ＣＰＵ）１０と、ネットワークと接続可能なＬＡＮ通信部１１と、フラッシュメモリ１２と、電源部１３と、回転ディスク（図示せず）のデジタル信号などを処理するデジタル信号処理部１４と、入力ボタン（図示せず）などから入力された情報を処理する入力情報処理部１５と、入力ボタン（図示せず）などから入力された情報を表示する表示部１６とにより主に構成されている。なお、ＬＡＮ通信部１１は、本発明の「通信部」の一例であり、フラッシュメモリ１２は、本発明の「記憶部」の一例である。
【００２５】
ＬＡＮ通信部１１は、ＬＡＮケーブルを接続するためのＬＡＮボード１１ａを含んでいる。ＬＡＮボード１１ａは、ＬＡＮボード１１ａの製造時に製造メーカによりＭＡＣアドレスＸが割り振られている。このＭＡＣアドレスＸは、ＬＡＮボード１１ａ固有のアドレスであり、他のＬＡＮボードに割り振られていることはない。なお、ＭＡＣアドレスＸは、本発明の「識別情報」の一例である。
【００２６】
また、第１実施形態では、フラッシュメモリ１２には、ブルーレイレコーダ１自身のＩＰアドレスＡおよびＭＡＣアドレスＸが格納されている。また、フラッシュメモリ１２には、外部機器（テレビジョン装置２）のＩＰアドレス（ＩＰアドレスＢ）およびＭＡＣアドレス（後述するＭＡＣアドレスＹ）を記憶するテレビアドレス情報記憶部１２ａが設けられている。第１実施形態では、ユーザがＩＰアドレスＢを入力ボタン（図示せず）などにより入力することにより、テレビジョン装置２のＩＰアドレスＢがブルーレイレコーダ１（フラッシュメモリ１２）に予め登録されている。なお、ユーザがＭＡＣアドレスを入力ボタン（図示せず）などにより入力することにより、テレビジョン装置２のＭＡＣアドレスＹをブルーレイレコーダ１（フラッシュメモリ１２）に予め登録することも可能である。
【００２７】
ここで、第１実施形態では、ブルーレイレコーダ１の制御部１０は、待機モードと、省電力モードとのいずれかのモードで電源オンの待機を行うとともに、ユーザの電源オンの操作に基づいて待機モードおよび省電力モードのいずれか一方のモードから起動するように電源部１３を制御するように構成されている。また、制御部１０は、予め登録されたＩＰアドレスＢを有するテレビジョン装置２のオンまたはオフ状態を所定の時間間隔（約５分間隔）で監視する制御を行うように構成されている。そして、制御部１０は、省電力モードの場合においてテレビジョン装置２がオン状態であると判断した場合には、待機モードに切り替えるとともに、待機モードの場合においてテレビジョン装置２がオフ状態であると判断した場合には、省電力モードに切り替える制御を行うように構成されている。また、制御部１０は、省電力モードから待機モードに切り替えた場合においてテレビジョン装置２がオン状態であると継続して判断している場合には、省電力モードに切り替えずに待機モードを継続させて電源オンの待機を行う制御を行うとともに、省電力モードの場合においてテレビジョン装置２がオフ状態であると継続して判断している場合には、待機モードに切り替えずに省電力モードを継続させて電源オンの待機を行う制御を行うように構成されている。
【００２８】
具体的には、ブルーレイレコーダ１の制御部１０は、ホームネットワーク上に接続されたＩＰアドレスＢを有するテレビジョン装置２に対して、所定の時間間隔（約５分間隔）でＬＡＮ通信部１１から所定のパケット（データ信号）をｐｉｎｇ送信により送信するように構成されている。そして、制御部１０は、送信したパケットに対してテレビジョン装置２から返信があった場合に、テレビジョン装置２がオン状態であると判断するとともに、送信したパケットに対してテレビジョン装置２から返信がなかった場合に、テレビジョン装置２がオフ状態であると判断するように構成されている。なお、ｐｉｎｇ送信とは、所定のパケットを送信対象機器に送信した場合に所定時間内に返信があるか否かを確認することにより、送信対象機器がネットワークに接続されているか否かを診断するプログラムである。また、制御部１０は、待機モードおよび省電力モードの場合であっても、ｐｉｎｇ送信を行うことが可能なように構成されている。
【００２９】
次に、テレビジョン装置２の構成について説明する。テレビジョン装置２は、テレビジョン装置２の制御を司る制御部（ＣＰＵ）２０と、ネットワークと接続可能なＬＡＮ通信部２１と、フラッシュメモリ２２と、電源部２３と、チューナー（図示せず）により受信されたデジタル信号などを処理するデジタル信号処理部２４と、入力ボタン（図示せず）などにより入力された情報を処理する入力情報処理部２５と、映像およびテレビジョン装置２の設定情報（ＩＰアドレスＢなど）を表示する表示部２６と、チューナー（図示せず）により受信された映像および音声データを処理する映像処理部２７および音声処理部２８とにより主に構成されている。
【００３０】
ＬＡＮ通信部２１は、テレビジョン装置２の電源がオン状態の場合に、ブルーレイレコーダ１からｐｉｎｇ送信により送信されたパケットを受信する機能を有する。この場合、テレビジョン装置２の制御部２０は、受信したパケットに対する返信を、ＬＡＮ通信部２１を介してブルーレイレコーダ１に対して行うように構成されている。また、ＬＡＮ通信部２１は、ＬＡＮケーブルを接続するためのＬＡＮボード２１ａを含んでいる。ＬＡＮボード２１ａは、ＬＡＮボード２１ａの製造時に製造メーカによりＭＡＣアドレスＹが割り振られている。このＭＡＣアドレスＹは、ＬＡＮボード２１ａ固有のアドレスであり、他のＬＡＮボードに割り振られていることはない。なお、ＭＡＣアドレスＹは、本発明の「識別情報」の一例である。
【００３１】
また、テレビジョン装置２の制御部２０は、テレビジョン装置２がオフ状態の場合に、ＬＡＮ通信部２１に電力を供給しないように構成されている。つまり、テレビジョン装置２がオフ状態の場合には、ｐｉｎｇ送信により送信されたパケットを受信することができず、ブルーレイレコーダ１に対して返信することができない。また、フラッシュメモリ２２には、テレビジョン装置２に割り当てられたＩＰアドレスＢが格納されている。制御部２０は、ユーザの操作に基づいて、フラッシュメモリ２２に格納されているＩＰアドレスＢを表示部２６に表示する制御を行うように構成されている。
【００３２】
次に、図１および図２を参照して、第１実施形態によるブルーレイレコーダ１の待機モードと省電力モードとの自動切替制御フローについて説明する。なお、この制御フローは、所定の時間間隔（約５分間隔）で実行される。
【００３３】
まず、図２に示すように、ステップＳ１において、制御部１０により、所定のＩＰアドレスに対して、ｐｉｎｇ送信が行われる。具体的には、ステップＳ１において、制御部１０により、テレビアドレス情報記憶部１２ａに記憶されているＩＰアドレスＢを有するテレビジョン装置２に対して、ｐｉｎｇ送信により所定のパケット送信が行われる。
【００３４】
その後、ステップＳ２において、制御部１０により、所定のＩＰアドレスを有する外部機器から返答があるか否かが判断される。つまり、ステップＳ２において、制御部１０により、ステップＳ１のｐｉｎｇ送信に対するＩＰアドレスＢを有するテレビジョン装置２からの返信パケットを受信したか否かが判断される。この場合、ＩＰアドレスＢを有するテレビジョン装置２からの返信パケットを受信したと判断された場合には、テレビジョン装置２がオン状態であると判断され、ＩＰアドレスＢを有するテレビジョン装置２からの返信パケットを受信しなかったと判断された場合には、テレビジョン装置２がオフ状態であると判断される。
【００３５】
そして、ステップＳ２において、ＩＰアドレスＢを有するテレビジョン装置２からの返信パケットを受信したと判断された場合には、テレビジョン装置２がオン状態であると判断され、ステップＳ３に進む。その後、ステップＳ３において、制御部１０により、現在の電源オンを待機するモードが省電力モードであるか否かが判断される。そして、ステップＳ３において、現在のモードが省電力モードであると判断された場合には、ステップＳ４に進む。そして、ステップＳ４において、省電力モードから待機モードに切り替えられ、ブルーレイレコーダ１の待機モードと省電力モードとの自動切替制御フローが終了する。また、ステップＳ３において、現在のモードが省電力モードではないと判断された場合には、現在のモードが待機モードであると判断される。これにより、現在の待機モードが省電力モードに切り替えられることなく、待機モードを維持した状態で、ブルーレイレコーダ１の待機モードと省電力モードとの自動切替制御フローが終了する。
【００３６】
また、ステップＳ２において、ＩＰアドレスＢを有するテレビジョン装置２からの返信パケットを受信しなかったと判断された場合には、テレビジョン装置２がオフ状態であると判断され、ステップＳ５に進む。その後、ステップＳ５において、制御部１０により、現在の電源オンを待機するモードが省電力モードであるか否かが判断される。そして、ステップＳ３において、現在のモードが省電力モードではないと判断された場合には、現在のモードが待機モードであると判断され、ステップＳ６に進む。そして、ステップＳ６において、待機モードから省電力モードに切り替えられ、ブルーレイレコーダ１の待機モードと省電力モードとの自動切替制御フローが終了する。また、ステップＳ５において、現在のモードが省電力モードであると判断された場合には、現在の省電力モードが待機モードに切り替えられることなく、省電力モードを維持した状態で、ブルーレイレコーダ１の待機モードと省電力モードとの自動切替制御フローが終了する。
【００３７】
第１実施形態では、上記のように、省電力モードの場合においてホームネットワーク上に接続されたテレビジョン装置２がオン状態であると判断した場合には、待機モードに切り替えるとともに、待機モードの場合においてテレビジョン装置２がオフ状態であると判断した場合には、省電力モードに切り替える制御を行うことによって、ブルーレイレコーダ１が待機モードに移行して一定時間経過した後であっても、テレビジョン装置２がオン状態である場合にはブルーレイレコーダ１が省電力モードに切り替えられることがない。これにより、テレビジョン装置２がオン状態である場合においてブルーレイレコーダ１に対して電源オンの操作を行った場合に、ブルーレイレコーダ１の起動時間を確実に短くすることができる。その一方で、テレビジョン装置２がオフ状態である場合には、ブルーレイレコーダ１は省電力モードで待機するので、ブルーレイレコーダ１により電力が消費されるのを抑制することができる。これらの結果、電力が消費されるのを抑制しながら起動時間を確実に短くすることができる。
【００３８】
また、第１実施形態では、上記のように、所定の時間間隔（約５分間隔）でホームネットワーク上に接続されたＩＰアドレスＢを有するテレビジョン装置２のオンまたはオフ状態を監視することによって、所定の時間間隔（約５分間隔）でテレビジョン装置２のオンまたはオフ状態を監視することにより、テレビジョン装置２のオンまたはオフ状態を的確に判断することができるので、省電力モードと待機モードとの切り替えを適切に行うことができる。
【００３９】
また、第１実施形態では、上記のように、テレビジョン装置２に割り当てられたＩＰアドレスＢを用いてテレビジョン装置２のオンまたはオフ状態の監視を行うことによって、ＩＰアドレスのようなホームネットワーク上で使用できる識別情報を用いることにより、容易に、ホームネットワーク上に接続されているテレビジョン装置２を識別することができる。
【００４０】
また、第１実施形態では、上記のように、ルータ５により割り当てられたＩＰアドレスＢを予め登録するとともに、予め登録されたＩＰアドレスＢを有するテレビジョン装置２のオンまたはオフ状態を監視することによって、ルータ５により割り当てられたＩＰアドレスＢを用いることにより、容易に、ホームネットワーク上に接続されているテレビジョン装置２のオンまたはオフ状態を監視することができる。
【００４１】
また、第１実施形態では、上記のように、省電力モードから待機モードに切り替えた場合においてテレビジョン装置２がオン状態であると継続して判断している場合には、省電力モードに切り替えずに待機モードを継続させて電源オンの待機を行う制御を行うことによって、テレビジョン装置２がオン状態であると継続して判断している場合に省電力モードに切り替えずに待機モードを継続させて電源オンの待機を行うことにより、ブルーレイレコーダ１に対して電源オンの操作を行った場合に、ブルーレイレコーダ１の起動時間をより確実に短くすることができる。
【００４２】
また、第１実施形態では、上記のように、ブルーレイレコーダ１の制御部１０を、省電力モードの場合において送信した所定の信号（所定のパケット）に対してテレビジョン装置２から返信があった場合に、テレビジョン装置２がオン状態であると判断するとともに、待機モードの場合において送信した所定の信号（所定のパケット）に対してテレビジョン装置２から返信がなかった場合に、テレビジョン装置２がオフ状態であると判断するように構成することによって、テレビジョン装置２からの返信の有無に基づいて、容易に、テレビジョン装置２がオン状態またはオフ状態のいずれの状態であるかを判断することができる。
【００４３】
また、第１実施形態では、上記のように、ローカルエリアネットワーク（ホームネットワーク）上に接続されたＩＰアドレスＢを有するテレビジョン装置２に対して、ＬＡＮ通信部１１からｐｉｎｇ送信により所定の信号（所定のパケット）を送信することによって、ｐｉｎｇ送信を用いることにより、容易に、ローカルエリアネットワーク上に接続されたテレビジョン装置２のオンまたはオフ状態を監視することができる。
【００４４】
また、第１実施形態では、上記のように、ＩＰアドレスＢを予め記憶するフラッシュメモリ１２を設けることによって、フラッシュメモリ１２により、容易に、テレビジョン装置２のＩＰアドレスＢをブルーレイレコーダ１に記憶させることができる。
【００４５】
（第２実施形態）
次に、図３を参照して、本発明の第２実施形態によるブルーレイレコーダ１００が接続されたホームネットワークシステムの構成について説明する。この第２実施形態では、ブルーレイレコーダ１が所定のＩＰアドレスを有する他の機器（たとえばＩＰアドレスＢを有するテレビジョン装置２）に対して所定のパケットを送信する上記第１実施形態とは異なり、ブルーレイレコーダ１００が所定のＭＡＣアドレスを有する他の機器（たとえばＭＡＣアドレスＹを有するテレビジョン装置２）に対して所定のパケットを送信する例について説明する。
【００４６】
第２実施形態では、図３に示すように、制御部１１０は、予め登録されたＭＡＣアドレスＹを有するテレビジョン装置２のオンまたはオフ状態を所定の時間間隔（約５分間隔）で監視する制御を行うように構成されている。そして、制御部１１０は、省電力モードの場合においてテレビジョン装置２がオン状態であると判断した場合には、待機モードに切り替えるとともに、待機モードの場合においてテレビジョン装置２がオフ状態であると判断した場合には、省電力モードに切り替える制御を行うように構成されている。
【００４７】
具体的には、ブルーレイレコーダ１００の制御部１１０は、ホームネットワーク上に接続されたＭＡＣアドレスＹを有するテレビジョン装置２に対して、所定の時間間隔（約５分間隔）でＬＡＮ通信部１１から所定のパケット（信号）をｐｉｎｇ送信により送信するように構成されている。そして、制御部１１０は、送信したパケットに対してテレビジョン装置２から返信があった場合に、テレビジョン装置２がオン状態であると判断するとともに、送信したパケットに対してテレビジョン装置２から返信がなかった場合に、テレビジョン装置２がオフ状態であると判断するように構成されている。
【００４８】
なお、第２実施形態によるブルーレイレコーダ１００が接続されたホームネットワークシステムの構成、および、ブルーレイレコーダ１００のその他構成は、上記第１実施形態によるホームネットワークシステムおよびブルーレイレコーダ１の構成と同様である。
【００４９】
次に、図３および図４を参照して、第２実施形態によるブルーレイレコーダ１００の待機モードと省電力モードとの自動切替制御フローについて説明する。なお、この制御フローは、所定の時間間隔（約５分間隔）で実行される。
【００５０】
まず、図４に示すように、ステップＳ１１において、制御部１０により、所定のＭＡＣアドレスに対して、ｐｉｎｇ送信が行われる。具体的には、ステップＳ１１において、制御部１１０により、テレビアドレス情報記憶部１２ａに記憶されているＭＡＣアドレスＹを有するテレビジョン装置２に対して、ｐｉｎｇ送信により所定のパケット送信が行われる。
【００５１】
その後、ステップＳ１２において、制御部１１０により、所定のＭＡＣアドレスを有する外部機器から返答があるか否かが判断される。つまり、ステップＳ１２において、制御部１１０により、ステップＳ１１のｐｉｎｇ送信に対するＭＡＣアドレスＹを有するテレビジョン装置２からの返信パケットを受信したか否かが判断される。この場合、ＭＡＣアドレスＹを有するテレビジョン装置２からの返信パケットを受信したと判断された場合には、テレビジョン装置２がオン状態であると判断され、ＭＡＣアドレスＹを有するテレビジョン装置２からの返信パケットを受信しなかったと判断された場合には、テレビジョン装置２がオフ状態であると判断される。
【００５２】
そして、ステップＳ１２において、ＭＡＣアドレスＹを有するテレビジョン装置２からの返信パケットを受信したと判断された場合には、テレビジョン装置２がオン状態であると判断され、ステップＳ３に進む。
【００５３】
また、ステップＳ１２において、ＭＡＣアドレスＹを有するテレビジョン装置２からの返信パケットを受信しなかったと判断された場合には、テレビジョン装置２がオフ状態であると判断され、ステップＳ５に進む。
【００５４】
なお、第２実施形態のステップＳ３〜ステップＳ６は、上記第１実施形態のステップＳ３〜ステップＳ６と同様なので、説明を省略する。
【００５５】
第２実施形態では、上記のように、テレビジョン装置２のＬＡＮボード２１ａに割り当てられたＭＡＣアドレスＹを用いてテレビジョン装置２のオンまたはオフ状態の監視を行うことによって、ＭＡＣアドレスのようなホームネットワーク上で使用できる識別情報を用いることにより、容易に、ホームネットワーク上に接続されているテレビジョン装置２を識別することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１および第２実施形態では、本発明の電子機器をブルーレイレコーダに適用した例について示したが、本発明はこれに限られない。たとえば、ハードディスクレコーダ、セットトップボックス（ＳＴＢ）およびパソコンなどのネットワークに接続可能な電子機器であれば、ブルーレイレコーダ以外の電子機器に本発明を適用してもよい。
【００５８】
また、上記第１および第２実施形態では、テレビジョン装置のオンまたはオフ状態に応じて待機モードと省電力モードとを切り替える例について示したが、本発明はこれに限られない。たとえば、パソコンやモニター装置など、テレビジョン装置以外の外部機器のオンまたはオフ状態に応じて待機モードと省電力モードとを切り替えるようにしてもよい。
【００５９】
また、上記第１および第２実施形態では、所定の時間間隔（約５分間隔）毎にテレビジョン装置のオンまたはオフ状態を監視する例について示したが、本発明はこれに限られない。約５分間隔よりも短い時間間隔（たとえば１分間隔）毎にテレビジョン装置のオンまたはオフ状態を監視してもよいし、約５分間隔よりも長い時間間隔（たとえば１０分間隔）毎にテレビジョン装置のオンまたはオフ状態を監視してもよい。
【００６０】
また、上記第１および第２実施形態では、本発明の識別情報としてＩＰアドレスまたはＭＡＣアドレスを用いる例について示したが、本発明はこれに限られない。たとえば、テレビジョン装置の型式名など、ネットワークに用いるアドレス以外の識別情報を用いてもよい。また、識別情報としてＩＰアドレスとＭＡＣアドレスとを合わせて用いてもよい。
【００６１】
また、上記第１および第２実施形態では、本発明をローカルエリアネットワークからなるホームネットワークに適用した例について示したが、本発明はこれに限られない。本発明をワイドエリアネットワークからなるネットワークに適用してもよい。
【００６２】
また、上記第１および第２実施形態では、ｐｉｎｇ送信により所定のパケット（信号）をテレビジョン装置（外部機器）に送信することにより、テレビジョン装置のオンまたはオフ状態を監視する例について示したが、本発明はこれに限られない。ｐｉｎｇ送信以外の送信方法により所定の信号をテレビジョン装置（外部機器）に送信することにより、テレビジョン装置のオンまたはオフ状態を監視するようにしてもよい。
【符号の説明】
【００６３】
１、１００  ブルーレイレコーダ（電子機器、ディスクレコーダ）
２  テレビジョン装置（外部機器）
５  ルータ（ネットワーク中継機）
１０、１１０  制御部
１１  ＬＡＮ通信部（通信部）
【図１】
2011172167.tif 000003
【図２】
2011172167.tif 000004
【図３】
2011172167.tif 000005
【図４】
2011172167.tif 000006